(57)【要約】【課題】歩道側と車道側の排水効率を向上すると共に、耐久性及び作業性を向上する歩車道境界ブロックを提供する。【解決手段】ブロック本体を部分的に覆う金属製のカバー部２０を有し、ブロック本体は、鉛直方向で上方に向けて突出して位置する第一本体部１２及び第二本体部１３と、鉛直方向で凹状に切り欠かれるとともに貫通して設けられた開口部１４と、を含み、開口部寄りの端縁には、段差状に凹設されたカバー保持領域１２ａ，１３ａが形成され、カバー保持領域の上面領域には、第一のボルト取付孔部１２ｂ，１３ｂが設けられており、カバー部の頂面壁部２０ａと左右の側面壁部２０ｂは、カバー保持領域の段差内に収容可能な肉厚を有し、カバー部の上面部当接領域には、第一のボルト取付孔部と同一軸で連通可能な第二のボルト取付孔部２０ｃ，２０ｃが設けられ、側面部には連通孔部６０が形成されている。【選択図】図１７
2018009345.tif 000002
【特許請求の範囲】
【請求項１】
歩道と車道との間に鉛直方向で突出し、集水桝上に配設される歩車道境界ブロックにおいて、
ブロック本体と、前記ブロック本体を部分的に覆う金属製のカバー部とで構成され、
前記ブロック本体は、
ブロックの設置長さ方向の前後にて、鉛直方向で上方に向けて突出して位置する第一本体部及び第二本体部と、
前記第一本体部と第二本体部の間にて、鉛直方向で凹状に切り欠かれるとともに貫通して設けられた開口部と、
前記第一本体部と第二本体部のそれぞれの基端と、前記開口部の上縁から略水平方向に連続して突設された左右のエプロン部と、を含み、
前記第一本体部と第二本体部における開口部寄りのそれぞれの端縁には、段差状に凹設されたカバー保持領域が形成され、
前記それぞれのカバー保持領域の上面領域には、ボルト止め可能な第一のボルト取付孔部が設けられており、
前記カバー部は、金属製の平板からなる上面部と、上面部の左右の側辺から下方に向けてそれぞれ設けられる金属製の平板からなる左右の側面部とで、前記第一本体部と第二本体部のそれぞれのカバー保持領域にわたって架け渡されて前記開口部を覆う大きさに形成されており、かつ前記上面部と左右の側面部は、それぞれ前記カバー保持領域の段差内に収容可能な肉厚を有し、
前記第一本体部と第二本体部のそれぞれのカバー保持領域に当接する前記カバー部のそれぞれの上面部当接領域には、前記第一のボルト取付孔部と同一軸で連通可能な第二のボルト取付孔部がそれぞれ設けられ、
前記側面部には、カバー部外方から内方に連通する連通孔部が形成されていることを特徴とする歩車道境界ブロック。
【請求項２】
前記カバー部のそれぞれの上面部当接領域の内面には、前記それぞれの第二のボルト取付孔部に対応する位置にて、当該第二の取付ボルト孔部を備えた嵌合突部が下方に向けて突設され、
第一本体部と第二本体部のそれぞれの第一のボルト取付孔部の周囲には、前記嵌合突部が嵌合可能な嵌合凹部が形成されていることを特徴とする請求項１に記載の歩車道境界ブロック。
【請求項３】
前記カバー部の側面部に設けられている連通孔部は、少なくともそれぞれ左右の側面部の水平方向同一軸上に一つずつ設けられ、カバー部を着脱する際に用いられる持ち上げ治具を挿入するための治具挿入用の孔部であることを特徴とする請求項１又は２に記載の歩車道境界ブロック。
【請求項４】
前記カバー部の側面部に設けられている連通孔部は、少なくともいずれか一方の側面部に設けられ、桝内部を点検可能なマイクロスコープ挿入用の孔部であることを特徴とする請求項１又は２に記載の歩車道境界ブロック。
【発明の詳細な説明】
【技術分野】
【０００１】
本発明は、歩道と車道との間で、かつ集水桝上に配され、歩道と車道の境界を示す歩車道境界ブロックの改良に関する。
【背景技術】
【０００２】
歩道と車道との間の境界として、道路の長さ方向にわたって突状に配設される歩車道境界ブロックが従来から知られている。
そして、例えば歩車道境界ブロックに隣接する車道の下方には、雨水などの排水を集める集水桝が備えられており、この集水桝は、車道と同一平面上に格子状の排水蓋（集水口）を位置させて備えられていたものである（例えば特許文献１を参照。）。
【０００３】
しかし、歩道と車道との間で境界を示すように突設される歩車道境界ブロックを採用している場合には、例えば、歩道側の雨水などの排水は、歩道と車道との間で境界部分として突設している前記ブロックが立ちはだかってしまうため、車道側の集水桝へと流れ難い形態となっている。
よって、歩道側の雨水などの排水は前記ブロックが切れている箇所（ブロックが突設されていない箇所）に回って集水桝へと排水されるものであったため、集水・排水効率が余り良くなかった。
この課題を解決するために、歩道側にも別途、集水桝・排水蓋（集水口）を備えることがあるが、コスト的な課題が大きかった。
【０００４】
そこで、特許文献２のように、歩車道境界ブロックの配設される長さ方向の所定位置の下方に集水桝を備え、その集水桝の開放した上方に、歩車道境界ブロックと同形状に形成された排水機能を有する金属製の蓋体（排水蓋）を備える構成が提供されている。
【０００５】
この蓋体は、境界ブロックと同形状に形成された突状の隆起部と、当該隆起部の左右側面下端から、それぞれ水平方向に一体に設けた左右のエプロン部と、隆起部の左右側面に設けた集水孔と、で構成されており、この左右のエプロン部の複数個所を集水桝の上面にネジ止め固定して配設する。
そして、歩道側の排水と車道側の排水は、左右の側面に設けたそれぞれの集水孔を介して集水桝内に集められる
【０００６】
しかし、この種の先行技術にあっては、次のような課題を有していた。
（１）隆起部は、金属板を屈曲成形してなる中空状であるが、どこにも保持されず、その中空状の隆起部のみで、長さ方向で前後の歩車道境界ブロック間に配されているため、耐久性に課題を有していた。
（２）また、集水桝上に配設する際に、それぞれのエプロン部に設けたネジ孔と集水桝のネジ孔とを位置決めするとともに、それぞれのネジ孔にねじを螺合していくものであったが、この位置合わせ作業が大変面倒かつ煩雑であった。
（３）蓋体を着脱する際に蓋体を持ち上げて移動させる必要があるが、その際の作業者の持ち上げ移動作業を考慮している構造ではなかったため作業性に課題を有していた。
（４）桝内の清掃時に蓋体を取り外す必要があるが、桝内の点検時においても、各ネジ止め固定していた箇所を解除して蓋体を取りはずさなければならず作業性に課題を有していた。
【先行技術文献】
【特許文献】
【０００７】
【特許文献１】特開２００４−６０３４１号公報
【特許文献２】特開２００２−６１１０５号公報
【発明の概要】
【発明が解決しようとする課題】
【０００８】
本発明は、この問題を解決するためになされており、その目的は、歩道と車道との間に鉛直方向で突出し、集水桝上に配設される歩車道境界ブロックにおいて、歩道側と車道側の排水効率を向上すると共に、耐久性及び作業性を向上し得る歩車道境界ブロックを提供することにある。
【課題を解決するための手段】
【０００９】
このような目的を達成するために、第１の本発明は、歩道と車道との間に鉛直方向で突出し、集水桝上に配設される歩車道境界ブロックにおいて、
ブロック本体と、前記ブロック本体を部分的に覆う金属製のカバー部とで構成され、
前記ブロック本体は、
ブロックの設置長さ方向の前後にて、鉛直方向で上方に向けて突出して位置する第一本体部及び第二本体部と、
前記第一本体部と第二本体部の間にて、鉛直方向で凹状に切り欠かれるとともに貫通して設けられた開口部と、
前記第一本体部と第二本体部のそれぞれの基端と、前記開口部の上縁から略水平方向に連続して突設された左右のエプロン部と、を含み、
前記第一本体部と第二本体部における開口部寄りのそれぞれの端縁には、段差状に凹設されたカバー保持領域が形成され、
前記それぞれのカバー保持領域の上面領域には、ボルト止め可能な第一のボルト取付孔部が設けられており、
前記カバー部は、金属製の平板からなる頂面壁部と、頂面壁部の左右の側辺から下方に向けてそれぞれ設けられる金属製の平板からなる左右の側面壁部とで、前記第一本体部と第二本体部のそれぞれのカバー保持領域にわたって架け渡されて前記開口部を覆う大きさに形成されており、かつ前記頂面壁部と左右の側面壁部は、それぞれ前記カバー保持領域の段差内に収容可能な肉厚を有し、
前記第一本体部と第二本体部のそれぞれのカバー保持領域に当接する前記カバー部のそれぞれの頂面壁部の当接領域には、前記第一のボルト取付孔部と同一軸で連通可能な第二のボルト取付孔部がそれぞれ設けられ、
前記側面壁部には、カバー部外方から内方に連通する連通孔部が形成されていることを特徴とする歩車道境界ブロックとしたことである。
【００１０】
第２の本発明は、第１の本発明において、前記カバー部のそれぞれの頂面壁部の当接領域の内面には、前記それぞれの第二のボルト取付孔部に対応する位置にて、当該第二の取付ボルト孔部を備えた嵌合突部が下方に向けて突設され、
第一本体部と第二本体部のそれぞれの第一のボルト取付孔部の周囲には、前記嵌合突部が嵌合可能な嵌合凹部が形成されていることを特徴とする歩車道境界ブロックとしたことである。
【００１１】
第３の本発明は、第１又は第２の本発明において、前記カバー部の側面壁部に設けられている連通孔部は、少なくともそれぞれ左右の側面壁部の水平方向同一軸上に一つずつ設けられ、カバー部を着脱する際に用いられる持ち上げ治具を挿入するための治具挿入用の孔部であることを特徴とする歩車道境界ブロックとしたことである。
【００１２】
第４の本発明は、第１又は第２の本発明において、前記カバー部の側面壁部に設けられている連通孔部は、少なくともいずれか一方の側面壁部に設けられ、桝内部を点検可能なマイクロスコープ挿入用の孔部であることを特徴とする歩車道境界ブロックとしたことである。
【発明の効果】
【００１３】
本発明によれば、歩道と車道との間に鉛直方向で突状に突出する歩車道境界ブロックにおいて、歩道側と車道側の排水効率を向上すると共に、耐久性及び作業性を向上する歩車道境界ブロックが提供し得る。
【図面の簡単な説明】
【００１４】
【図１】本発明歩車道境界ブロックを配設してなる道路構造物の一例を部分的に示す概略平面図である。
【図２】図１の概略正面図である。
【図３】本発明歩車道境界ブロックの第一実施形態を示す斜視図である。
【図４】本発明歩車道境界ブロックの第一実施形態を示す側面図である。
【図５】本発明歩車道境界ブロックの第一実施形態を示す正面図である。
【図６】本発明歩車道境界ブロックの第一実施形態を示す平面図である。
【図７】本発明歩車道境界ブロックの第一実施形態を示す底面図である。
【図８】図６のVIII-VIII線拡大断面図である。
【図９】図６のIX-IX線拡大断面図である。
【図１０】図６のX-X線拡大断面図である。
【図１１】図６のXI-XI線拡大断面図である。
【図１２】（ａ）は本発明歩車道境界ブロックの断面図、（ｂ）は（ａ）にて一点鎖線で囲んだ領域を拡大して示す概略拡大断面図である。
【図１３】本発明歩車道境界ブロックの第一実施形態を示す縦断面図である。
【図１４】係合部の部分拡大図である。
【図１５】集水溝部と排水孔部の部分拡大断面図である。
【図１６】（ａ）は施工状態を一部断面して示す斜視図で、（ｂ）は連通孔部が、集水桝の内部を確認するためのマイクロスコープ挿入用の孔部として機能している状態を示す断面図である。
【図１７】施工状態でカバー部を取り外し、側溝内が確認可能な状態を示す一部断面斜視図である。
【図１８】他の形態の係合部を採用した本発明歩車道境界ブロックの他の実施形態を示す斜視図である。
【発明を実施するための形態】
【００１５】
以下、本発明の一実施形態に係る歩車道境界ブロックについて、添付図面を参照しつつ説明する。
なお、本実施形態は、本発明の歩車道境界ブロックの一実施形態にすぎず、何等これに限定解釈されるものではなく、本発明の範囲内で設計変更可能である。
【００１６】
本発明の歩車道境界ブロックは、道路の長さ方向（図中、符号Ｌ１で示す方向）にわたって配設される側溝などの所定の排水路（所定長さ領域にわたって排水機能を有する構造を全て含む）６００上に配設し、歩道と車道との境界において突状に備えられて道路構造物（歩車道境界構造）を構成している。
歩車道境界ブロックは、道路の長さ方向（図中、矢印Ｌ１にて示す方向）にわたって所定の勾配（縦断勾配）をもって敷設されている。
図中符号１は、本発明の実施形態である桝部タイプの歩車道境界ブロックを示し、その他、図中符号１００は標準部タイプの歩車道境界ブロック、符号２００は歩道切下部タイプの歩車道境界ブロック、符号３００で示す身障者乗り入れ部タイプの歩車道境界ブロック、符号４００で示す乗り入れ部タイプの歩車道境界ブロック、符号５００で示す隅型部タイプの歩車道境界ブロックの一例を示す。
【００１７】
「第一実施形態」
歩車道境界ブロック（桝部タイプの歩車道境界ブロック）１は、所定の成形型内にコンクリート材料を流し込んで、中実状に一体成形されたコンクリート二次成形品本体１０と、コンクリート二次成形品本体（ブロック本体）１０の開口部１４を覆う金属製のカバー部２０と、で構成されている（図３乃至図１７）。
【００１８】
コンクリート二次成形品本体１０は、歩道と車道の境界を示す第一本体部１２，第二本体部１３と、第一本体部１２と第二本体部１３との間にて、鉛直方向で凹状に切り欠かれるとともに貫通して設けられた開口部１４と、前記第一本体部１２と第二本体部１３のそれぞれの基端と、前記開口部１４の上縁から略水平方向に連続して突設された左右のエプロン部１５，１５とで構成されている。また、本実施形態では、コンクリート二次成形品本体１０を成形する際に集水溝部１６と排水孔部１８を同時に一体成形している。
【００１９】
第一本体部１２及び第二本体部１３は、先端（上端）に行くに従って幅が小さくなる先窄まり形状とした所定長さの断面視台形状に形成されており、第一本体部１２と第二本体部１３は、本実施形態では対称に形成されている。
また、その設置方向で相対向する面部は、テーパ状に形成されている。
【００２０】
第一本体部１２と第二本体部１３の形状・高さなどは任意であって本発明の範囲内で設計変更可能である。すなわち、長さ方向（設置長さ方向）における第一本体部１２と第二本体部１３の大きさを大きくして後述する開口部１４の大きさを小さくしてもよく、逆に、長さ方向における第一本体部１２と第二本体部１３の大きさを小さくして後述する開口部１４の大きさを大きくしてもよく任意である。また、第一本体部１２と第二本体部１３のいずれか一方を他方より大きくしたり小さくしたりすることも本発明の範囲内であって設計変更可能である。
【００２１】
開口部１４は、第一本体部１２と第二本体部１３の間の中央領域を所定の長さ範囲で凹状に切り欠き、コンクリート二次成形品本体１０の底面１０ａにわたって貫通状に形成している。
本実施形態では、平面視で矩形状、かつ側面視で下辺に対して上辺が長い台形状に形成されている切り欠き領域１４ａと、平面視で矩形状に形成されている貫通孔領域１４ｂとで構成されている。
また、本実施形態では、開口部１４の設置長さ方向の開口大きさが、第一本体部１２と第二本体部１３を足した長さと略同一の長さとしている。
【００２２】
第一本体部１２と第二本体部１３の相対向する側の開口部１４寄りのそれぞれの上面部端縁と左右側面部端縁には、カバー保持領域１２ａ，１３ａが形成されている。
【００２３】
カバー保持領域１２ａ,１３ａは、後述するカバー部２０が取り付けられた際に、カバー部２０の表面（頂面壁部の表面及び左右の側壁面部の表面）と第一本体部１２及び第二本体部１３のそれぞれの表面（上面部の表面と左右側面部の表面）とが同一平面状に位置するように、カバー部２０の厚み分に相当する段差をもって凹設されている（図３、図４、図１３及び図１７参照。）。
【００２４】
また、図中、符号１２ｂ，１３ｂは、カバー部２０を着脱可能に連結するための第一のボルト取付孔部であって、後述するカバー部２０を位置決めするとともにカバー部２０の位置ずれを防止するため、カバー部２０裏面に突設した嵌合突部３０が嵌る凹状に形成されている嵌合凹部の凹部中心に形成されている。
【００２５】
カバー保持領域１２ａ，１３ａは、カバー部２０に衝撃などが掛かったとしてもその衝撃に耐え得る程度にカバー部２０を受けることができるように設計されている。カバー保持領域１２ａ，１３ａの長さ方向の大きさ（カバー部２０を受ける面部の大きさ）は特に限定解釈されるものではないが、カバー部２０を強固に支持可能な大きさに設計されることが好ましい。
このようなカバー保持領域１２ａ，１３ａが存在していないものであると、上方や側方から衝撃が掛かった場合、カバー部２０はその衝撃に耐え得ないため破損してしまう虞がある。
【００２６】
カバー部２０は、平坦状の頂面壁部２０ａと、頂面壁部２０ａからそれぞれ裾広がりの下り傾斜状に連続して設けられる左右の側面壁部２０ｂ，２０ｂとからなり、開口部１４とカバー保持領域１２ａ，１３ａを覆う大きさの断面視略台形状の門型に形成されている。カバー部２０の肉厚は、前記したようにカバー保持領域１２ａ，１３ａの段差と同程度の肉厚とする。
【００２７】
また、カバー部２０は、第一本体部１２と第二本体部１３のそれぞれのカバー保持領域１２ａ，１３ａ（カバー保持領域１２ａ，１３ａの上面領域）に当接した際に、前記左右の側面壁部２０ｂ，２０ｂの内面がカバー保持領域１２ａ，１３ａ（カバー保持領域１２ａ，１３ａの側面領域）に当接するともに、前記両側面壁部２０ｂ，２０ｂのそれぞれの下端が、集水溝部１６上に当接する。すなわち、カバー部２０は、カバー保持領域１２ａ，１３ａに当接すると、当該カバー保持領域１２ａ，１３ａの段差内に収容され、外部に突出しない。
【００２８】
カバー部２０の頂面壁部２０ａの長さ方向で両端に形成されている凹状丸孔の中心位置には、前記第一のボルト取付孔部１２ｂ，１３ｂにボルト５０，５０を介してカバー部２０を締め付け固定するための第二のボルト取付孔部２０ｃ，２０ｃが形成されている。
また、本実施形態では、上述したとおり、この第二のボルト取付孔部２０ｃと相対するカバー部２０の裏面位置に嵌合突部３０が突設されている。
嵌合突部３０は、前記第二のボルト取付孔部２０ｃが鉛直方向に貫通して形成されている。
【００２９】
カバー部２０の左右の側面壁部２０ｂ，２０ｂには、水平方向で同一軸上に連通孔部６０，６０が形成されている（図３、図４、図６、図７、図１１、図１３、図１６、図１７参照。）。
連通孔部６０は、カバー部２０の外方から内方に連通する小径の丸孔径状に形成されており、カバー部２０の着脱作業時に使用する棒状の持ち上げ治具７０を挿入するための治具挿入用の孔部として機能する（図１７参照。）。
すなわち、この治具挿入用の孔部として機能する連通孔部６０，６０に持ち上げ治具７０を挿通してカバー部２０を着脱時に持ち上げたり降ろしたりする際に機能するものである（図１７参照。）。連通孔部６０は、少なくともそれぞれ左右の側面壁部２０ｂ，２０ｂの水平方向同一軸上に一つずつ設けられていればよく任意であるが、人間の指部が挿入不可能な程度の孔径に設計されているのが安全面において好ましい。なお、持ち上げ治具７０及び連通孔部６０の形態は任意であって本発明の範囲内で設計変更可能である。
【００３０】
さらに、この連通孔部６０は、集水桝７００の内部を確認するためのマイクロスコープ挿入用の孔部として機能する（図１６参照。）。
すなわち、例えば、自由に曲げる事ができるフレキシブルアーム９５ａの先端にカメラ９５ｂとＬＥＤライト９５ｃが付いている防水性フレキシブルマイクロスコープ９５などのカメラが想定可能であって、撮影した画像を液晶ディスプレイ９５ｄなどで確認して集水桝７００の内部の状態、つまり、ゴミなどの詰まり状況やコンクリートの劣化状況などが、カバー部２０を外すことなく確認・点検可能である（図１６（ｂ）参照。）。
よって、集水桝７００の内部の点検が容易に成し得るため大変作業性を向上し得る。
【００３１】
エプロン部１５は、第一本体部１２と第二本体部１３のそれぞれの基端１２´，１３´と、前記開口部１４の上縁１４´から略水平方向に連続して一体に突設され、一方のエプロン部１５（図３、図５及び図８乃至図１２、図１６、図１７で向かって左側のエプロン部）は歩道側、他方のエプロン部１５（図３、図５及び図８乃至図１２、図１６、図１７で向かって右側のエプロン部）は車道側にそれぞれ位置するように配され、本実施形態では、いずれのエプロン部１５も平坦状で同一幅・同一長さの平面視矩形状に形成されている。
【００３２】
エプロン部１５は、第一本体部１２，第二本体部１３よりも鉛直方向で薄肉状に形成され、かつコンクリート二次成形品本体１０における長さ方向（ブロック設置長さ方向）幅と同一の長さ方向幅に形成されている。
エプロン部１５は、僅かではあるが、それぞれの表面領域１５ａが、第一本体部１２や第二本体部１３の方向に向かって（図３、図１２、図１５にて矢印Ｌ２で示す方向に向かって）下り傾斜状に角度（勾配）をもって形成されている。
なお、エプロン部１５の構成は特に限定解釈されるものではなく、両エプロン部１５，１５が異なる幅に形成されているものであってもよく、また、いずれか一方のエプロン部１５のみが下り傾斜状（勾配を有する）で他方のエプロン部１５は平坦状であってもよく、あるいは双方共に平坦状に形成されているものであってもよい。
また、エプロン部１５は、歩道側と車道側のいずれか一方のみに設けられているものであってもよい。
【００３３】
集水溝部１６は、第一本体部１２と第二本体部１３のそれぞれの基端１２´，１３´と、前記開口部１４の上縁１４´と、エプロン部１５とのそれぞれの境界領域にて、コンクリート二次成形品本体１０の長さ方向（図にて矢印Ｌ1で示す道路の長さ方向と同じ方向）にわたって連続して凹設されている。
【００３４】
集水溝部１６は、エプロン部１５の端縁１５ｂから内底面１６ｂに向けて連続して設けられた内壁面１６ａと、対向するもう一方の内壁面を構成する第一本体部１２の側壁面１２ｃ、及び第二本体部１３の側壁面１３ｃとで構成されている。
なお、本実施形態では、内壁面１６ａの傾斜角が、側壁面１２ｃ，１３ｃの傾斜角に対して急になるように構成されている（図１２参照。）。
内壁面１６ａを急傾斜とすることにより、エプロン部１５から集水溝部１６への雨水などの集水効率を高めることができる。
集水溝部１６の溝幅・溝深さなどは特に限定されず任意で本発明の範囲内で設計変更可能である。
なお、本実施形態において集水溝部１６は、片側１条で形成されているが、片側複数条ずつ形成するものであってもよい。例えば、歩道側のエプロン部１５との境界には１条の集水溝部１６とし、排水量の多い車道側のエプロン部１５との境界には複数条の集水溝部１６を形成するように設定することも可能である。
【００３５】
排水孔部１８は、コンクリート二次成形品本体１０の型成形時に併せて一個乃至複数個が仕様に応じて選択して一体成形される。
排水孔部１８は、集水溝部１６の内底面１６ｂからコンクリート二次成形品本体１０の底面（ブロック底面）１０ａにわたって貫通して設けられている（図７、図８、図１０、図１２及び図１５参照）。
【００３６】
本実施形態の排水孔部１８は、集水溝部１６の内底面１６ｂからコンクリート二次成形品本体１０の底面１０ａに向けて徐々に拡開する裾広がり状に形成されている。すなわち、集水溝部１６の内底面１６ｂに設けた開口（入水側の開口）に比して、コンクリート二次成形品本体１０の底面１０ａに設けた開口（出水側の開口）を大きく形成している（図５及び図７参照。）。
また、排水孔部１８は、本実施形態では、溝方向に長尺の平面視で矩形状に形成されているが、この形状に限定解釈されるものではなく、平面視で円形状・三角形状など本発明の範囲内で設計変更可能である。
【００３７】
本実施形態の排水孔部１８は、集水溝部１６の内壁面１６ａ，側壁面（内壁面）１２ｃ，１３ｃとの間に、それぞれ所定の平坦面１６ｂ´，１６ｂ´を残して形成されている。
【００３８】
平坦面１６ｂ´，１６ｂ´は、集水溝部１６の溝連続方向に直交する方向において、排水孔部１８の両側にそれぞれ備えられている。
【００３９】
平坦面１６ｂ´，１６ｂ´は、本実施形態において次のように機能する。
砂や落ち葉などが集水溝部１６に溜まってしまった場合、排水孔部１８への排水効率が悪くなる虞があるため、集水溝部１６に溜まった落ち葉などを定期的に取り除く必要がある。
このとき、例えば、集水溝部１６の幅一杯に接する大きさのへら状のスクレイパー（scraper）などの掃除用治具を、集水溝部１６に沿って移動させることで落ち葉などを溝内から掻き出すようにする。このとき、排水孔部１８の幅方向両側に、平坦面１６ｂ´，１６ｂ´が設けられていることにより、溝内を移動するスクレイパーが排水孔部１８内に落ちてしまうといった不具合も生じ得ない。すなわち、平坦面１６ｂ´，１６ｂ´は溝清掃時の掃除用治具落下防止機能を発揮する。
また、本実施形態では、集水溝部１６を構成する内壁面１６ａと側壁面１２ｃ，１３ｃをそれぞれ下り傾斜状に形成しているため、スクレイパーを集水溝部１６に挿入する際のガイドとして機能する。
また、本実施形態では、内壁面１６ａと内底面１６ｂとの境界部分、及び側壁面１２ａと内底面１６ａとの境界部分を鈍角状に形成しているため、スクレイパーを使用した際に、それぞれの境界部分に砂や落ち葉などを掻き残す虞も少なく大変有用である。
【００４０】
平坦面１６ｂ´，１６ｂ´の幅方向の大きさ（広さ）は特に限定されないが、あまりに大きく（広く）形成してしまうと、排水孔部１８の大きさを制限してしまうため、排水孔部１８を小さくし過ぎない程度に設計する。
【００４１】
エプロン部１５における反境界部の端部には、コンクリート二次成形品本体１０の長さ方向に連続して凹設された係合部８０が一体成形されている。
【００４２】
係合部８０は、エプロン部１５の端縁１５ｃから連続して設けられた内側壁面部８０ａと、内側壁画部８０ａから連続して設けられた底面部８０ｂと、底面部８０ｂから連続して設けられた外側壁画部８０ｃとによって、コンクリート二次成形品本体１０の長さ方向に連続した凹条溝に形成されている。符号８１は外側突条を示す。
【００４３】
内側壁画部８０ａは、エプロン部１５の端縁１５ｃから連続して設けられた第一の面部８２と、前記第一の面部８２と連続し、かつ第一の面部８２とは異なる傾斜角度をもって前記底面部８０ｂに一体に連続して設けられた第二の面部８３とを含む（図１４参照）。
すなわち、本実施形態では、第一の面部８２に対して緩やかな傾斜角をもって第二の面部８３を構成している。さらに、第二の面部８３は、外側壁面部８０ｃと比しても緩やかな傾斜角をもって構成されている。なお、外側壁面部８０ｃは第一の面部８２より緩やかな傾斜角をもって構成している（図１２参照。）。
【００４４】
係合部８０は、舗装路９０の敷設時に舗装路９０との接触面積を増やして強固かつ緊密に係合し得るために設けられている。
さらに、本実施形態では、上述したとおり、第一の面部８２の傾斜角に対して第二の面部８３の傾斜角を緩やかに構成するとともに、第二の面部８３に対して外側壁面部８０ｃの傾斜角を急に構成することによって、舗装路９０の敷設時（ローラで転圧する時）に、転圧が容易で、かつ転圧後に空洞ができてしまう虞もないため敷設した舗装路の係合が緊密となり強固な固着が図れる。
【００４５】
本実施形態によれば、舗装路９０（車道・歩道）上に流れる雨水などは、それぞれの集水溝部１６，１６に一旦集まり、集水溝部１６内を所定の傾斜方向へと流れる。
そして、溝部１６内を流れてきた雨水は、各排水孔部１８を介して集水桝７００内へと効率よく流れ落ちていく。
【００４６】
歩車道境界ブロック１は、第一本体部１２と第二本体部１３の略中央の領域を所定範囲で切り欠くとともに貫通して開口部１４を形成し、この開口部１４の領域を覆うようにして第一本体部１２と第二本体部１３と同様の形態のカバー部２０を着脱可能に備えて構成されている。そして、このカバー部２０を取り外すことにより集水桝７００内を点検・確認・清掃等が成し得るものである。
本実施形態では、図１及び図２に示す所定位置に配設している。
【００４７】
本実施形態において、カバー部２０が取り付けられる領域、すなわち、開口部１４の領域に位置する集水溝部１６には、排水孔部１８ａが形成されている。
排水孔部１８ａは、集水溝部１６の他の位置に形成されている排水孔部１８と異なり、開口部１４の内壁面領域に相当する箇所１８ａ´が切り欠かれて開放されている（図１３参照。）。すなわち、孔形状ではなく、溝形状に形成されている点で相違する。
【００４８】
この排水孔部１８ａ´は、広く形成されているかあるいは多く形成されている方が排水性の面のみからすれば好ましいが、本実施形態のように長さ方向で開口部１４の領域内で片側２箇所だけ設け、開口部１４の領域内に３箇所のカバー部２０の接地面１６ｃを設けるように構成したほうが、コンクリート二次成形品本体１０の強度面及びカバー部２０の強度面において好ましい。
【００４９】
また、前記各排水孔部１８と排水孔部１８ａは、カバー部２０に設けた連通孔部６０と同様に、マイクロスコープ挿入用の孔として機能し、集水桝７００の内部の状況点検に寄与せしめることも可能である。
【００５０】
「第二実施形態」
図１０は第二実施形態を示す。
本実施形態は、前記説明した第一実施形態の歩車道境界ブロック１における係合部８０の変形例である。
本実施形態の係合部８０は、舗装路の敷設完了までの間に係合部８０の溝内に溜まった泥・砂などをスクレイパーなどで掃き出しやすいように、端部領域に掃き出し用の切り欠き溝８５が型成形時において一体成形されている（図１８参照。）。
その他の構成及び作用効果は第一実施形態と同じであるため説明は省略する。
【００５１】
切り欠き溝８５は、外側突条８１の前後の端部領域を所定長さで切り欠いて形成している。
従って、道路の長さ方向Ｌ１に本実施形態の歩車道境界ブロック１やその他の歩車道境界ブロック（１００-５００など）を隣り合わせに配設していくと、隣り合う切り欠き溝８５，８５によって係合部８０の凹条溝に連通する幅方向の凹条溝（図示省略）が形成される。
この切り欠き溝８５，８５によって形成される幅方向の凹条溝は、コンクリート二次成形品本体１０の幅方向の端部（外側突条８１の幅方向の端部）に開放状に形成されるため、係合部８０の溝内に溜まった泥・砂などをスクレイパーなどで掃き出して前記幅方向の凹状溝を介して排出することが可能である。
【００５２】
また、本実施形態では、切り欠き溝８５の面部８１ａ（外側突条８１の端部切り欠き面部）を下り傾斜状の傾斜面をもって構成しているため、集水溝部１６と同様に、スクレイパーなどの挿入時におけるガイド機能を有するとともに、スクレイパー使用時における掻き残しが少なく大変有用である。
【００５３】
本実施形態によれば、切り欠き溝８５を形成することによって、舗装路の敷設時における舗装路との接触面積がさらに増えるため、強固かつ緊密に係合し得る。
【産業上の利用可能性】
【００５４】
本発明は、本実施形態で示す歩車道境界ブロック以外の形態であっても利用可能である。
【符号の説明】
【００５５】
１０  ブロック本体
１２  第一本体部
１２ａ，１３ａ  カバー保持領域
１３  第二本体部
１４  開口部
１５  エプロン部
１２ｂ，１３ｂ  第一のボルト取付孔部
２０  カバー部
３０  嵌合突部
４０  嵌合凹部
２０ｃ，２０ｃ  第二のボルト取付孔部
６０  連通孔部（治具挿入用の孔部  マイクロスコープ挿入用の孔部）
【図１】
2018009345.tif 000003
【図２】
2018009345.tif 000004
【図３】
2018009345.tif 000005
【図４】
2018009345.tif 000006
【図５】
2018009345.tif 000007
【図６】
2018009345.tif 000008
【図７】
2018009345.tif 000009
【図８】
2018009345.tif 000010
【図９】
2018009345.tif 000011
【図１０】
2018009345.tif 000012
【図１１】
2018009345.tif 000013
【図１２】
2018009345.tif 000014
【図１３】
2018009345.tif 000015
【図１４】
2018009345.tif 000016
【図１５】
2018009345.tif 000017
【図１６】
2018009345.tif 000018
【図１７】
2018009345.tif 000019
【図１８】
2018009345.tif 000020